(57)【特許請求の範囲】
【請求項１】
互いに平行な折罫を介して順に連設する前板、上板、後板、下板及び糊代片のうちの糊代片を前板の先端裏側に糊付けして角筒状の胴部が形成され、その胴部の一方にオートボトムが形成されてなる折畳み式のカートンであって、前板の端辺内に設けられた指掛かり片の角２点を起点とし、前板から上板の略全体にかけて開封領域を形成するように上板と後板との境界に至るまで横置き用ジッパーが形成され、該横置き用ジッパーの終点を結ぶようにして上板と後板の境界にミシン目が形成されており、後板の内部を起点とし、指掛かり片の幅より狭い幅で胴部を周回するように帯状の縦置き用ジッパーが形成され、該縦置き用ジッパーのうち後板から下板へと延びるジッパーは糊代片に設けたミシン目に至り、該縦置き用ジッパーのうち後板から上板を通って前板へと延びるジッパーは前板に設けた指掛かり片の近くまで達するが最後の切れ刃は指掛かり片の端部にまでは至らないように形成されていることを特徴とするディスプレイカートン。
【請求項２】
縦置き用ジッパーと同じ幅で繋がる糊代片の２本のミシン目とそのミシン目に挟まれた部分に糊着が及ばないように表面加工したことを特徴とする請求項１に記載のディスプレイカートン。
【発明の詳細な説明】
【技術分野】
【０００１】
本発明は、包装用の箱と展示販売用の陳列台とを兼ね備えたディスプレイカートンの技術分野に属し、詳しくは、陳列時に際して縦置き型と横置き型のいずれにでも使用できるディスプレイカートンに関するものである。
【背景技術】
【０００２】
従来より、この種のディスプレイカートンとして、背板の上端に蓋板を連設し、該蓋板の前端に連設した糊着片を前側板に糊着して上面開放部を密封するカートンにおいて、糊着片を先端部のみで糊着し、中間部に横方向ジッパーを設けるとともに、糊着片、蓋板、背板、底板及び前側板に渡って一連のジッパーを設けたものが知られている。
【０００３】
このディスプレイカートンは、糊着片の中間部にある横方向ジッパーを中央より左右に開裂すると、蓋板は糊着片のジッパー上部と共に上方に開けられるので、その蓋板を切り取って横置き型の展示様式にできるし、また、糊着片から蓋板、背板、底板及び前側板に渡って設けた一連のジッパーを糊着片の中央から上方に開裂すると、カートンは左右に二分割するので、その一方を側板を底部として載置することで、縦置き型の展示様式にできるものである。
【先行技術文献】
【特許文献】
【０００４】
【特許文献１】実公平５−５１４４号公報
【発明の概要】
【発明が解決しようとする課題】
【０００５】
上記した従来のディスプレイカートンは、４コーナー貼りによる折畳み式のカートンであり、製函機の特性から深さのある箱には対応できないという欠点があった。すなわち、４コーナー貼りは４５度罫で折り曲げるため、深さ寸法が横寸法の２分の１を越えるようだと糊着片が重なって製函できなくなるからである。
【０００６】
また、横置き型と縦置き型の兼用機能を保持するには、中身の商品を詰めた後、前側板に糊着片を糊着しなければならず、作業工程が増えるものであった。すなわち、縦置きで陳列する際、蓋板を一側板として活用しているため、蓋板は側板としての強度、すなわち陳列される商品の荷重に耐えうる強度が必要であり、蓋板に連設された糊着片の先端部と前側板を糊着させて蓋板を固定させなければならないからである。
【０００７】
また、縦置き陳列の際は、一部糊着によって形成された側板のため、しっかりと保形されず、店頭での商品訴求効果が求められるディスプレイカートンとしては不都合も生じていた。すなわち、中身の商品がこぼれないように側板を底にして一連のジッパーを引き裂くが、この時、糊着のみで固定されている蓋板は、罫線で各面と連設された側板と比べ強度的に弱く、湾曲したり折れ曲がったりして歪んでしまうことが多いからである。
【０００８】
本発明は、従来のディスプレイカートンが有する上記のような問題点に鑑みてなされたものであり、その目的とするところは、横置き型と縦置き型の兼用機能を有するディスプレイカートンであって、深さのある箱でも製函することができ、製品を詰めてからの糊付け工程が不要であり、しかも店頭での陳列時に保形性のあるディスプレイカートンを提供することにある。
【課題を解決するための手段】
【０００９】
上記の目的を達成するため、本発明のディスプレイカートンは、互いに平行な折罫を介して順に連設する前板、上板、後板、下板及び糊代片のうちの糊代片を前板の先端裏側に糊付けして角筒状の胴部が形成され、その胴部の一方にオートボトムが形成されてなる折畳み式のカートンであって、前板の端辺内に設けられた指掛かり片の角２点を起点とし、前板から上板の略全体にかけて開封領域を形成するように上板と後板との境界に至るまで横置き用ジッパーが形成され、該横置き用ジッパーの終点を結ぶようにして上板と後板の境界にミシン目が形成されており、後板の内部を起点とし、指掛かり片の幅より狭い幅で胴部を周回するように帯状の縦置き用ジッパーが形成され、該縦置き用ジッパーのうち後板から下板へと延びるジッパーは糊代片に設けたミシン目に至り、該縦置き用ジッパーのうち後板から上板を通って前板へと延びるジッパーは前板に設けた指掛かり片の近くまで達するが最後の切れ刃は指掛かり片の端部にまでは至らないように形成されていることを特徴とする。
【００１０】
そして、上記構成のディスプレイカートンにおいて、縦置き用ジッパーと同じ幅で繋がる糊代片の２本のミシン目とそのミシン目に挟まれた部分に糊着が及ばないように表面加工しておくことが好ましい。
【発明の効果】
【００１１】
本発明のディスプレイカートンは、指掛かり片を摘んで引き上げ前板から上板にかけて横置き用ジッパーを引き裂き、ミシン目を破断して上板を後板より取り外すことで横置き型として利用することができる一方、後板の中央から縦置き用ジッパーを反対方向に引き裂いて２分することで、縦置き型として利用することができる。そして、箱の形式としてオートボトム構造のカートンを用いているので、深さ寸法も横寸法も共に貼り工程に影響を及ぼすことがなく、したがって深さのある箱でも製函することができ、また製品を詰めてからの糊付け工程も不要である。また、折罫に連設された各面にジッパーが形成されており、かつ縦置き用ジッパーは後板の内部より左右に開きながら裂いて行くため、破断するジッパーの距離も短く、カートンに無駄な力が加わることがないことから、歪みや折れのない綺麗で保形性のあるものを陳列用として使用することができる。
【００１２】
そして、縦置き用ジッパーと同じ幅で繋がる糊代片の２本のミシン目とそのミシン目に挟まれた部分に糊着が及ばないように表面加工しておくことにより、縦置き用ジッパーを破り去るときに、糊代片を綺麗に切り取ることができ、全体としてカートンの胴部を綺麗に分断することができる。
【図面の簡単な説明】
【００１３】
【図１】本発明に係るディスプレイカートンの一例を前板側から見た状態で示す斜視図である。
【図２】図１のディスプレイカートンを後板側から見た状態で示す斜視図である。
【図３】図１に示すディスプレイカートンを形成するブランクの展開図である。
【図４】図１のディスプレイカートンを横置き型の展示形態として使用するときの説明図である。
【図５】図１のディスプレイカートンを縦置き型の展示形態として使用するときの説明図である。
【発明を実施するための形態】
【００１４】
次に、本発明の実施の形態について図面を参照しながら詳細に説明する。
【００１５】
図１及び図２に示すディスプレイカートンＣは、紙器用の板紙を図３に示す展開形状に打ち抜いた一枚のブランクＢからなる。
【００１６】
ブランクＢは、図３に示すように、前板１、上板２、後板３、下板４及び糊代片５が互いに平行な折罫を介してこの順で連設されている。また、前板１と後板３の左辺にはそれぞれ底片６が、上板２と下板４の左辺にはそれぞれ底板７が連設され、前板１と後板３の右辺にはそれぞれダストフラップ８が、上板２の右辺には蓋板９が連設されており、蓋板９の先端には差込み片１０が連設されている。
【００１７】
そして、ブランクＢには、前板１の端辺内に設けられた指掛かり片１ａの角２点を起点とし、前板１から上板２の略全体にかけて開封領域を形成するように上板２と後板３との境界に至るまで横置き用ジッパーＪａが形成されており、この横置き用ジッパーＪａの終点を結ぶようにして上板２と後板３の境界にミシン目ａが形成されている。横置き用ジッパーＪａで形成される開封領域は、横置き型での陳列時に中の商品を露出させるところであり、そのサイズは必要に応じて決めればよい。
【００１８】
さらに、このブランクＢには、後板３の内部を起点とし、指掛かり片１ａの幅より狭い幅で胴部を周回するように帯状の縦置き用ジッパーＪｂが形成されている。すなわち、後板３の中央に破断開始用の切込み線αが「Ｈ」型で形成されており、その切込み線αを起点としてそこからから互いに反対方向に破断可能なように形成されている。そして、この縦置き用ジッパーＪｂのうち後板３から下板４へと延びるジッパーは糊代片５に設けたミシン目ｂに至り、縦置き用ジッパーＪｂのうち後板３から上板２を通って前板１へと延びるジッパーは前板１に設けた指掛かり片１ａの近くまで達するが最後の切れ刃は指掛かり片１ａの端部にまでは至らないように形成されている。また、このブランクＢでは、縦置き用ジッパーＪｂにおける下板４と糊代片５の境界のところに、指掛かりのための凹みを作る紡錘状罫線ｃを形成している。
【００１９】
図３のブランクＢを組み立てて図１及び図２に示すディスプレイカートンＣを形成するが、その手順は通常のカートンと同様である。まず、底板７の折返し部７ａをそれぞれ底片６に貼り合わせるとともに、糊代片５を前板１の先端裏側に貼り合わせたサック貼り状態で折り畳む。そして、この折り畳んだブランクＢを起こすと、底板７の部分が自動的にロックされてカートンの底部にオートボトムが形成される。このように起函してから、商品を中身として入れ、ダストフラップ８を折り込んでから、差込み片１０を下板４の内側面に差し込んで蓋板９を閉じることで組立を完了する。
【００２０】
ディスプレイカートンＣを横置き型として使用する場合には、指掛かり片１ａを手で持って引き上げ、そのまま横置き用ジッパーＪａを破断して前板１から上板２の略全体にかけて開封領域を形成する。このとき、縦置き用ジッパーＪｂの最後の切れ刃は指掛かり片１ａの端部にまで達していないので、縦置き用ジッパーＪｂを誤って掴んで引き裂くことがないようになっている。また、縦置き用ジッパーＪｂには、下板４と糊代片５の境界のところに紡錘状罫線ｃを形成してあり、カートンに組み立てるとこの紡錘状罫線ｃによって指掛かりのための凹みが形成されるので、指掛かり片１ａを手で容易に摘むことができる。このように横置き用ジッパーＪａを破断してから、ミシン目ａを引き裂いて後板３から天板２を取り外し、図４に示すような横置き型の展示形態とする。
【００２１】
また、ディスプレイカートンＣを縦置き型として使用する場合には、後板３の中央にある切込み線αのところを引き起こし、そこから互いに反対方向に縦置き用ジッパーＪｂを引き裂く。すると引き裂いた両方のジッパーが糊代片５のところで合わさってカートンが２分されるので、一方を除去して図５に示すような縦置き型の展示形態とする。
【００２２】
ここで、縦置き用ジッパーＪｂは、ディスプレイカートンＣの胴部を２つに分断するため、糊代片５も綺麗に切り取らなければならない。そのため、縦置き用ジッパーＪｂと同じ幅で繋がる糊代片５の２本のミシン目ｂとそのミシン目ｂに挟まれた部分に糊着が及ばないように表面加工しておくことが好ましい。一般的には、剥離ＯＰと呼ばれる糊の剥離を伴ったオーバープリントニス加工を施したり、糊の部分的塗布によってその目的を達成すればよい。
【００２３】
以上、本発明を実施するための形態について詳細に説明してきたが、本発明によるディスプレイカートンは、上記の形態に何ら限定されるものではなく、本発明の趣旨を逸脱しない範囲において種々の変更が可能であることは当然のことである。
【産業上の利用可能性】
【００２４】
本発明のディスプレイカートンは、輸送用の包装箱と展示販売用の陳列箱とを兼ね備えた箱であり、展示スペースの状況に応じて横置き・縦置きの何れにも使用できるものであり、中身として個別包装された菓子類をはじめとする各種食品、化粧用品などの雑貨類を収納し、これをコンビニエンスストア、ドラッグストア、スーパーマーケット等の店頭にて展示販売するときに好適に用いられるものである。
【符号の説明】
【００２５】
Ｂ  ブランク
Ｃ  ディスプレイカートン
Ｊａ  横置き用ジッパー
Ｊｂ  縦置き用ジッパー
１  前板
１ａ  指掛かり片
２  上板
３  後板
４  下板
５  糊代片
６  底片
７  底板
７ａ  折返し部
８  ダストフラップ
９  蓋板
１０  差込み片
ａ  ミシン目
ｂ  ミシン目
ｃ  紡錘状罫線
α  切込み線
【図１】
0005516233.tif 000002
【図２】
0005516233.tif 000003
【図３】
0005516233.tif 000004
【図４】
0005516233.tif 000005
【図５】
0005516233.tif 000006